(57)【特許請求の範囲】
【請求項１】
展示用物品が載置される展示台を有する光透過性の背面パネルと、
前記背面パネルの背面側に配設され、前記背面パネルに向けて照明光を出射する複数のＬＥＤランプを搭載した照明ユニットと、
前記照明ユニットと接続された制御ユニットと、
を備え、
前記展示台を一体化するとともに、前記背面パネルと前記照明ユニットとを一体化して１つの展示ユニットを形成し、
前記１つの展示ユニットが、前記展示用物品を展示するためのスペース内の縦横に複数に並べて配置されてなり、
前記制御ユニットは、前記スペース内の縦横に複数に並べて配置された展示ユニットの前記複数のＬＥＤランプが所定のパターンによりパターン点灯させるように構成されてなることを特徴とする展示用物品の展示装置。
【請求項２】
前記背面パネルは、冷温表示ラベル及び価格表示ラベルを装着した冷温・価格表示部を装着する突起部が前記展示台に形成されていることを特徴とする請求項１記載の展示用物品の展示装置。
【請求項３】
展示用物品を展示するためのスペースを有し、前記展示用物品に対応する販売用物品を代金の支払いに応じて払い出すための複数の物品払出ユニットを内蔵する販売機本体と、
前記販売機本体内に配設され、前記展示用物品を展示する展示装置とを備えた自動販売機において、
前記展示装置は、請求項１または２に記載の展示装置であることを特徴とする自動販売機。
【請求項４】
前記販売用物品を指定するための選択ボタンが、前記販売機本体の前面に操作面が露出するようにして前記展示装置の下側に配置されていることを特徴とする請求項３に記載の自動販売機。
【請求項５】
前記選択ボタンは、冷温表示ラベル及び価格表示ラベルを装着した冷温・価格表示部のスペアを保管する受け部を有することを特徴とする請求項４に記載の自動販売機。
【発明の詳細な説明】
【技術分野】
【０００１】
本発明は、缶飲料等の展示用物品（商品見本）を照明するために用いて好適な照明ユニットを内蔵する展示用物品の展示装置及びこれを備えた自動販売機に関する。
【背景技術】
【０００２】
煙草、缶飲料、麺類等の物品を自動販売する自動販売機は、コインや紙幣の投入と引き換えに無人で終日販売できるため、駅、店舗や道路の近傍、駐車場、人の集まる場所等に広く設置されている。
【０００３】
このような自動販売機は、購買者の目に止まるように、その表面色彩や装飾に工夫が施されている。更に、前面パネルの裏側には、合成樹脂製の商品見本または販売商品と同一品による缶ジュース、缶コーヒー、清涼飲料等の複数の商品サンプルが購入者（客）の見やすい位置に展示され、同様に、写真等を展示する展示スペースも配置されている。そして、夜間には、照明装置により、商品サンプルや写真等を照明している。また、販売商品の販売の形態や状態が購入者にわかるように、「温かい」、「冷たい」、「準備中」、「品切れ」等の表示もなされている。
【０００４】
従来、自動販売機の前面パネル内の商品サンプルを照明する照明装置には、光源として、一般に、蛍光灯、冷陰極管が用いられており、これを、前面パネル内の例えば横方向に設置して、商品サンプル、写真等を照明している（例えば、特許文献１参照。）。
【０００５】
しかし、照明装置の光源に蛍光灯や冷陰極管を用いた場合、交換の廃棄処理が煩わしいほか、展示スペースに占める割合が大きく、サンプル展示棚や照明ユニットの配置に制約が生じる。また、蛍光灯や冷陰極管は寿命が短いため、自動販売機の耐用年数の経過前に交換が必要になり、ランニングコストが嵩むほか、メンテナンスが必須になるという問題がある。
【０００６】
そこで、蛍光灯や冷陰極管を用いた構成の不具合を解決するために、商品サンプルの背面に半透明板を配置し、この半透明板（背面パネル）の周囲に光源となる複数の発光ダイオード（Light Emitting Diode：ＬＥＤ）を配置して、半透明板を通して商品サンプルを照明する発光装置を備えた自動販売機が提案されている(例えば、特許文献２参照)。
【特許文献１】特開２００４−１５２１４２号公報
【特許文献２】特開２００２−３５８５６０号公報
【発明の開示】
【発明が解決しようとする課題】
【０００７】
しかし、従来の照明装置及びこれを用いた自動販売機によると、光源を備えた照明ユニットを主体にした単体の部材として設計ならびに製造されており、照明ユニットと照明ユニット以外の他の部材とを一体化する構想がなかった。このため、自動販売機の製造ラインにおける工程が増えたり、メンテナンスに時間を要する等の不具合があった。また、自動販売機においては、季節等に応じて商品の入れ換えが行われ、その際、作業者により、入れ換えた商品の価格に合せて価格表示プレートの差し替えが行われている。しかし、価格表示プレートの保管場所等が定められ或いは設けられていなかったため、交換した価格表示プレートを紛失することがあった。
【０００８】
また、蛍光灯を使用した照明装置では、蛍光灯の一定の長さに応じて商品サンプルの展示台を並べる必要があり、自動販売機のレイアウト設計において大きな制約があった。また、照明装置単位で点灯させることができず、種々の点灯パターンで自動販売機の照明効果を高めることができなかった。
【０００９】
従って、本発明の目的は、組み立て性及びメンテナンス性を向上させた、照明ユニットを内蔵した展示用物品の展示装置及びこれを備えた自動販売機を提供することにある。
【課題を解決するための手段】
【００１０】
本発明は、上記目的を達成するために、展示用物品が載置される展示台を有する光透過性の背面パネルと、前記背面パネルの背面側に配設され、前記背面パネルに向けて照明光を出射する複数のＬＥＤランプを搭載した照明ユニットと、前記照明ユニットと接続された制御ユニットと、を備え、前記展示台を一体化するとともに、前記背面パネルと前記照明ユニットとを一体化して１つの展示ユニットを形成し、前記１つの展示ユニットが、前記展示用物品を展示するためのスペース内の縦横に複数に並べて配置されてなり、前記制御ユニットは、前記スペース内の縦横に複数に並べて配置された展示ユニットの前記複数のＬＥＤランプが所定のパターンによりパターン点灯させるように構成されてなることを特徴とする展示用物品の展示装置を提供する。
【００１１】
また、本発明は、上記目的を達成するために、展示用物品を展示するためのスペースを有し、前記展示用物品に対応する販売用物品を代金の支払いに応じて払い出すための複数の物品払出ユニットを内蔵する販売機本体と、前記販売機本体内に配設され、前記展示用物品を展示する展示装置とを備えた自動販売機において、前記展示装置は、上記に記載の展示装置であることを特徴とする自動販売機を提供する。
【発明の効果】
【００１２】
本発明の展示用物品の展示装置及びこれを備えた自動販売機によれば、組み立て性及びメンテナンス性を向上させることができる。また、本発明の自動販売機によれば、照明ユニットを内蔵した展示装置を用いているため、自動販売機の展示スペース内での展示装置のレイアウトの自由度が向上すると共に、種々の点灯パターンで照明ユニットを点灯することにより、自動販売機の照明効果を高めることができる。
【発明を実施するための最良の形態】
【００１３】
[第１の実施の形態]
（自動販売機の構成）
図１は、本発明の第１の実施の形態に係る自動販売機の外観を示す。図１において、自動販売機１は、商品価格以上のコインや紙幣の投入／挿入に応じて収納している各種の缶飲料（販売用物品）を販売する販売機本体２と、を備えている。
【００１４】
販売機本体２は、外装体としての箱型の筐体４を備える。この筐体４は、前方に開口する箱体４Ａ及び箱体４Ａの前方開口部を開閉する扉体４Ｂを有し、全体が略矩形箱を形成している。そして、筐体４は、商品種ごとに複数個の販売用物品を収納するほか、代金と引き換えに指定の商品を外部に払い出すための物品払出ユニット、コインや紙幣による代金を収納する代金収納部、釣り銭を支払う機構、後記する展示装置等を内蔵している。
【００１５】
扉体４Ｂは、光透過性部材からなる前面上部カバーとしての前面パネル５を前面上部に備えている。アクリル板等で構成される前面パネル５の表面には、操作・表示部６が、展示用物品１００に対応して設けられている。さらに、前面パネル５の背面部と筐体４の前面部との間には、展示用物品１００を背面パネル１４の前に並べて展示するための展示スペース７が確保されている。ここでは、展示スペース７の中で、最上段の中央を広告スペース４８にしている。展示スペース７には、複数の展示装置１２が設置されている。
【００１６】
扉体４Ｂは、前面パネル５の下側に、釣銭切れや挿入紙幣・投入硬貨に関する情報を表示するＬＣＤ（Liquid Crystal Display）等の表示器４１と、購入者が紙幣を挿入するための紙幣挿入口４２と、購入者が硬貨を投入するための硬貨投入口４３と、紙幣挿入口４２または硬貨投入口４３に挿入／投入された紙幣または硬貨を購買者の操作に応じて返却するための返却レバー４４と、釣銭を返却するための釣銭返却口４５と、物品払出ユニットから払い出された商品を取り出すための物品取出口４６と、扉体４Ｂの開閉をロックするためのドアロック４７と、販売用物品等の情報を宣伝するために用いられる広告スペース４８と、を備えている。
【００１７】
図２は、図１の自動販売機における制御系を示す。販売機本体２には、ＣＰＵ１０aを備えて自動販売機１の全体を制御する制御ユニット１０と、制御ユニット１０に接続された表示駆動部１１と、表示駆動部１１により夜間等に駆動されて所定の照明を行う照明ユニット１２０と、を備える。
【００１８】
制御ユニット１０には、操作・表示部６の選択ボタン、昼夜を検知するための照度センサ８と、人が販売機本体２の前方に接近したか否かを検知する接近検知センサ９と、代金と引き換えに指定の商品を外部に払い出す複数の物品払出ユニット１３と、が接続されている。更に、図示を省略しているが、制御ユニット１０には、貨幣や紙幣の投入／挿入を検知するとともに金額を判定する機構、商品の品切れを検知するセンサ、等が接続されている。
【００１９】
照度センサ８は、例えば、硫化カドミウムフォトセル、フォトトランジスタ等の光検知センサを用いて構成されている。この光検知センサの光−電気変換出力に対して閾値を設定し、閾値を超えたときに出力電圧が発生することで、昼間を検知する。
【００２０】
接近検知センサ９は、赤外線センサ、超音波センサ等を用いて構成されており、センサの設置点から或る距離内に人等が入ったときに、人等から反射する反射波を検知して電気信号を発生する。
【００２１】
展示装置１２は、前面パネル５の内側に設置され、表示駆動部１１に接続されるとともに発光素子としての複数のＬＥＤランプを搭載した各照明ユニット１２０を備える。この照明ユニット１２０は、背面パネル１４とともに展示ユニットを形成し、各々展示装置１２として、自動販売機１の展示用物品の展示をするための展示スペース７の所定の位置に配置される。
【００２２】
物品払出ユニット１３は、販売用物品（商品）を貯蔵する物品貯蔵部（図示せず）を有し、箱体４Ａの収容空間に複数の販売用物品が収容され、かつ制御ユニット１０に接続されている。そして、紙幣挿入口４２及び硬貨投入口４３に対する紙幣・硬貨の挿入／投入による代金の支払いと引き換えに、販売用物品を物品取出口４６に払い出すように構成されている。
【００２３】
（展示ユニットの構成）
図３は、１つの展示装置１２の正面構成を示す。展示装置１２は、展示用物品１００を載置する展示台１４ａを備えた背面パネル１４と、背面パネル１４の下側に設置された操作・表示部６とを備えている。この展示装置１２を８個用いて自動販売機１を構成すると、図１のようになる。
【００２４】
操作・表示部６は、購入商品を指定するための複数の選択ボタン１５ａ〜１５ｄを備える選択ボタン部１５と、この選択ボタン部１５の上側に配置され、裏面からの照明光により販売商品の「準備中」や「売切」を表示する選択ボタン表示部１６と、価格表示ラベル１７及び冷温表示ラベル１８が装着されるとともに、選択ボタン部１５の下部に一体化されている冷温・価格表示部１９とを備える。選択ボタン表示部１６、価格表示ラベル１７、冷温表示ラベル１８、及び冷温・価格表示部１９の文字部分は、無色、白、赤、青等の色の光透過になる構造を有している。これにより、購入者は鮮明な文字を見ることができる。
【００２５】
背面パネル１４は、樹脂製であるが、無色透明ではなく、背面からの照明光を拡散するように加工されており、照明パターン等に応じて着色や絵柄等が施されている。
【００２６】
価格表示ラベル１７、及び冷温表示ラベル１８は、商品（販売用物品）の入れ換えに対応して交換することができる。価格表示ラベル１７及び冷温表示ラベル１８は、その背面側に設置されたＬＥＤランプによって照明される。
【００２７】
図４は、展示装置のＡ−Ａ線の断面図を示す。展示装置１２は、上記したように、自動販売機１の展示スペース７に複数台配置されるが、これらは同一構成である。
【００２８】
照明ユニット１２０は、複数のＬＥＤランプ２４と、これらを所定の間隔で装着するランプ搭載基板２３とで構成される。この照明ユニット１２０と、ＬＥＤランプ２４からの透過光で照明される展示用物品を載置する展示台１４Ａを有した背面パネル１４、複数のビス２２によって販売機本体２の箱体４Ａ内のフレーム等に固定されるベース２１、及び、ベース２１の周縁の立設部で支持されたランプ搭載基板２３とを一体化して、展示ユニットとしての展示装置１２を構成する。
【００２９】
背面パネル１４の展示台１４ａは、前面パネル５側に突出した突起部２５を形成している。この突起部２５には、価格表示ラベル１７及び冷温表示ラベル１８が取り付けられているホルダ２６が装着されている。
【００３０】
突起部２５の下側には、選択ボタン表示部１６及び選択ボタン部１５が上下に配置されている。選択ボタン表示部１６は、後部に交換用のホルダ（スペア）２９を収納しているホルダ受け部（受け部）２８に取り付けられている。そして、ホルダ受け部２８の前部には、選択ボタン表示部１６を裏面から照明するためのＬＥＤランプ２７が取り付けられている。このＬＥＤランプ２７は、図２に示した表示駆動部１１に接続されている。
【００３１】
選択ボタン部１５の選択ボタン１５ａ〜１５ｄは、操作面が前面パネル５の表面から露出しており、この前面パネル５の取り付け面から雨水等がボタン内に侵入し、或いは前面パネル５の裏面側に侵入するのを防止するため、防水構造が採用されている。
【００３２】
ＬＥＤランプ２４は、互いに異なる色の光を発する３種類のＬＥＤ、例えば、赤色ＬＥＤ、緑色ＬＥＤ、及び青色ＬＥＤを備えて構成されている。このようなＬＥＤランプ２４は、赤色光、緑色光、青色光のうちの１色、２種の単色光の混合による１色、あるいは３種の単色光の混合による白色光をそれぞれ発光することができる。また、ＬＥＤランプ２４は、光照射範囲を広くできるように、拡散レンズを備えていることが望ましい。
【００３３】
ＬＥＤランプ２４の使用数は、例えば、展示用物品１００のサイズが５００ｍｌであれば３個／缶、３５０ｍｌであれば２個／缶といった基準で決めることができる。したがって、図３のような展示形態であれば、ランプ搭載基板２３上に１０個のＬＥＤランプ２４を搭載すればよい。あるいは、展示用物品１００のサイズにかかわらずランプ搭載基板２３上に所定数のＬＥＤランプ２４を均等に分散配置する構成であってもよい。
【００３４】
（自動販売機及び照明装置の動作）
自動販売機１は、電源ＯＮにあれば、図２に示す制御ユニット１０によってＬＥＤランプ２７を点灯し、選択ボタン表示部１６に商品の在庫状態に応じた表示を行っている。また、夜間には、照度センサ８の検知に基づいて、制御ユニット１０は、照明ユニット１２０の全てのＬＥＤランプ２４を点灯させる。ＬＥＤランプ２４による照明光（例えば、白色光）は、背面パネル１４に入射し、更に背面パネル１４を透過して展示用物品１００を照明する。
【００３５】
照度センサ８が昼間を検知した場合、制御ユニット１０は表示駆動部１１を制御して、照明ユニット１２０の全てのＬＥＤランプ２４を消灯する。なお、ＬＥＤランプ２４は、低消費電力かつ長寿命であるので、２４時間常時点灯の駆動にしてもよい。
【００３６】
購入者等の人が、自動販売機１に対して所定範囲内に接近すると、この状態を接近検知センサ９が検知する。この検知に基づいて制御ユニット１０は、表示駆動部１１を介して照明ユニット１２０の全てのＬＥＤランプ２４を点灯させる。これにより、照度センサ８が動作しないときでも、購入者は、自動販売機１の存在を知ることができる。
【００３７】
購入者が、展示用物品１００を見て、その中に購入したいものがあった場合、その展示用物品１００の下側にある選択ボタン表示部１６を見て、希望の商品が購入可能か否かを確認するとともに、その上方の価格表示ラベル１７に印刷されている価格を確認する。次に、購入者は、価格額またはそれ以上の金額の紙幣または硬貨を紙幣挿入口４２または硬貨投入口４３から入れる。更に、購入者は、購入希望の商品に対応する選択ボタン１５ａ〜１５ｄの１つを指で押す。
【００３８】
以上の操作により、制御ユニット１０は、指定の商品が物品払出ユニット１３に在庫していれば、その物品払出ユニット１３を駆動し、商品を物品取出口４６へ排出する。また、制御ユニット１０は、購入者の支払い金額と商品価格の差額を計算し、その差額に応じた釣り銭を釣銭返却口４５へ返金する。その後、接近検知センサ９が、人のいなくなったことを検知すると、制御ユニット１０は照明ユニット１２０を消灯させる。
【００３９】
次に、自動販売機１の商品入れ換えについて説明する。一般に、自動販売機１は、地下通路の壁の前、建物の前などのように、壁を背面にして設置されている。このため、販売用物品の補充や入れ換えは、扉体４Ｂを開けて、販売機本体２の前面から行われる。
【００４０】
季節替わり等により、販売用物品に入れ換えが生じた場合、展示用物品１００の入れ換えが生じたり、価格や冷温表示の変更が必要になることがある。価格や冷温表示が変更になった場合、ホルダ２６の冷温・価格表示部１９に装着されていた価格表示ラベル１７や冷温表示ラベル１８を取り外し、ホルダ２９に装着されていた新価格に合致する価格表示ラベル１７や冷温表示ラベル１８と交換する。ホルダ２６から取り外して使用しなくなった価格表示ラベル１７等は、ホルダ２９に装着することができる。また、入れ換えた販売用物品に対応する展示用物品１００の交換も実施する。
【００４１】
（第１の実施の形態の効果）
第１の実施の形態によれば、下記の効果を奏する。
（１）展示装置１２は、照明ユニット１２０、背面パネル１４、及び展示台１４ａを一体化しているため、製造工程の簡略化、メンテナンス時間の短縮を図ることができる。
（２）販売用物品の入れ換えに際し、冷温・価格表示部１９の内容に変更が生じても、不使用になった価格表示ラベル１７や冷温表示ラベル１８を自動販売機１の内部にあるホルダ２９に保管することができるため、これらのラベルが紛失するのを防止することができる。
（３）スペースをとる蛍光灯等に代えて、照明ユニット１２０の光源にＬＥＤランプ２４を用いたことにより、蛍光灯の規格長さに制約されずに自動販売機１のレイアウト設計ができ、商品サンプル展示数の自由度が向上する。
（４）ＬＥＤランプ２４は、展示用物品１００の個々のサイズに応じた個数を割り当てることにより、展示用物品１００に対する照明を均一にすることができる。
（５）冷温・価格表示部１９を単独の構成にし、価格表示ラベル１７及び冷温表示ラベル１８をＬＥＤランプ２７により背面側から照明しているため、鮮明な光透過像を生成することができる。
（６）展示装置１２は、他の展示装置１２と個別に交換できるため、メンテナンス性を高めることができる。
【００４２】
［第２の実施の形態］
図５は、本発明の第２の実施の形態に係る自動販売機１の照明パターンを示す。なお、図５においては、展示装置１２の背面パネル１４の図示を省略している。また、図６は、第２の実施の形態における照明制御の処理内容を示す。
【００４３】
本実施の形態は、第１の実施の形態において、９個の照明ユニット１２０ａ〜１２０ｉを備えた９個の展示装置１２が展示スペース７に配置され、予め定めた条件及びパターンにより照明ユニット１２０ａ〜１２０ｉのＬＥＤランプ２４を所定のパターンで点灯するようにしたものであり、その他の構成は第１の実施の形態と同様である。
【００４４】
まず、照度センサ８の検知結果に基づいて、制御ユニット１０により現在が夜間であるか否かを判定する（Ｓ１０１）。制御ユニット１０により夜間が判定されると、図５に示す照明パターンによるパターン点灯が実行される（Ｓ１０２）。このパターン点灯は、図５の（ａ）を一定時間表示した後、（ｂ），（ｃ），・・・（ｅ），（ｆ），（ａ），（ｂ），・・・の順に、各照明ユニットの斜線で示す部分を一定時間ごとに点灯する。
【００４５】
まず、図５の（ａ）に示すように、照明ユニット１２０ａ，１２０ｂ，１２０ｃ内の全ＬＥＤランプが一定時間点灯する。次に、図５の（ｂ）に示すように、照明ユニット１２０ｄ，１２０ｅ，１２０ｆ内の全ＬＥＤランプが一定時間点灯する。以後、同様にして、図５の（ｃ）〜（ｆ）に示すように各照明ユニットが駆動される。図５の（ｆ）の点灯が終了すると、図５の（ａ）に戻り、上記ランプ点灯が繰り返し実行される。このパターン点灯は、制御ユニット１０が夜明けを判定するまで継続される。
【００４６】
図５のようなパターンで背面パネル１４の照明を行っているときに、自動販売機１の近くに人（購入者等）が接近し、接近検知センサ９の検知範囲に進入すると、制御ユニット１０は、人の接近を判定する（Ｓ１０３）。このとき、現在が夜間にあるか否かを再度判定し（Ｓ１０４）、夜間であれば、全てのＬＥＤランプ２４を点灯（全点灯）させる（Ｓ１０５）。これにより、購入者は、展示用物品１００の視認が容易になる。
【００４７】
購入者が、価格相当もしくはそれ以上の金額の紙幣または硬貨を紙幣挿入口４２または硬貨投入口４３から入れ、購入希望の商品に対応する選択ボタン１５ａ〜１５ｄのいずれかを押すと（Ｓ１０６）、物品払出ユニット１３が動作し、商品が物品取出口４６へ払い出される（Ｓ１０７）。この際の釣り銭処理は、第１の実施の形態で説明した通りである。
【００４８】
その後、接近検知センサ９が人のいなくなったことを検知し、あるいは所定時間が経過すると（Ｓ１０８）、制御ユニット１０は、割り込みの発生の有無を判定する（Ｓ１０９）。割り込みが発生していないとき、制御ユニット１０は照明装置１２をパターン点灯に復帰させ（Ｓ１０１）、割り込みが発生していれば、これに対応した他の処理を実行する（Ｓ１１０）。
【００４９】
なお、図５に示した照明パターンは、一例にすぎず、ユーザ等の好みに応じて設定できるようにすることも、メーカー側で予め数パターンを用意しておき、ユーザが選択できるようにすることもできる。例えば、新製品や販売促進を行いたい展示用物品１００の展示スペースのみを点滅点灯させたり、赤色等の目立つ色で照明し、他の展示スペースの白色光による照明と異ならせる等の照明法が考えられる。
【００５０】
また、図５において、「当たり」が出たときに購入製品とは別に販売用物品をプレゼントする機能、いわゆるルーレット機能を自動販売機１に付加することができる。従来のルーレット機能を備えた自動販売機は、ルーレット機能を１つの装置（ルーレット装置）にして前面パネル５内に設置していた。このため、ルーレット装置の分だけコストアップになっていたが、照明ユニット１２０ａ〜１２０ｉの内の１または複数、更には全部を用いてルーレットを表示させることで、ルーレット装置が不要になる。
【００５１】
（第２の実施の形態の効果）
第２の実施の形態によれば、下記の効果を奏する。
（１）待機時には、照明ユニット１２０のパターン点灯により人目を引くことができ、人が接近したときには、全点灯により展示用物品１００を見やすくすることができるので、集客性の向上や販売アピールの向上を図ることができる。
（２）光源にＬＥＤランプ２４を用いてパターン点灯を行っているため、省エネルギー化を図ることができる。
（３）ルーレット機能を照明ユニット１２０に持たせることで、ルーレット装置が不要になるほか、自動販売機１のコストダウンを図ることができる。
その他の効果は、第１の実施の形態と同様である。
【００５２】
［第３の実施の形態］
図７は、本発明の第３の実施の形態に係る照明装置を示す。本実施の形態においても、展示装置１２の背面パネル１４の図示を省略している。
本実施の形態は、第１，第２の実施の形態において、展示スペース７の中での配置を変更し、非展示スペース２０あるいはポスター等を展示するポスタースペース２００を設けた自動販売機１にしたものであり、その他の構成は第１の実施の形態と同様である。
【００５３】
図７の（ａ）は、第１の実施の形態において、図５で照明ユニット１２０ｄ，１２０ｅ，１２０ｆを備える展示装置１２を設置していた場所に３個分の非展示スペース２０を縦に設けたものであり、図７の（ｂ）は、図５で照明ユニット１２０ｅを備える展示装置１２を設置していた場所に１個分の非展示スペース２０を設けたものである。
【００５４】
なお、図７の（ａ），（ｂ）に示した構成は一例であり、例えば、図７の（ａ）の場合、非展示スペース２０を上側や下側に設けてもよい。同様に、図７の（ｂ）において、図１の非展示スペースの位置とは逆の下側に非展示スペース２０を設けてもよい。
【００５５】
図７の（ｃ）は、ポスタースペース２００を図５で照明ユニット１２０ｅを備える展示装置１２を設置していた場所に設けたものである。図７の（ｃ）においても、ポスタースペース２００は、前面パネル５内の任意の位置に設けることができるし、その設定数も任意にできる。
【００５６】
（第３の実施の形態の効果）
第３の実施の形態によれば、非展示スペース２０やポスタースペース２００を設けることにより、展示デザインの自由度を高めることができる。その他の効果は、第１の実施の形態と同様である。
［他の実施の形態］
なお、本発明は、上記各実施の形態に限定されず、本発明の技術思想を逸脱あるいは変更しない範囲内で種々な変形が可能である。
【図面の簡単な説明】
【００５７】
【図１】本発明の第１の実施の形態に係る自動販売機の外観を示す正面図である。
【図２】図１の自動販売機における制御系を示すブロック図である。
【図３】１つの展示装置の正面側構成を示す正面図である。
【図４】図３の展示装置のＡ−Ａ線の断面図である。
【図５】本発明の第２の実施の形態に係る照明ユニットの照明パターンを示す説明図である。
【図６】第２の実施の形態における照明制御の処理内容を示すフローチャートである。
【図７】本発明の第３の実施の形態に係る自動販売機の展示スペースを示す正面図である。
【符号の説明】
【００５８】
１  自動販売機
２  販売機本体
４  筐体
４Ａ  箱体
４Ｂ  扉体
５  前面パネル
６  操作・表示部
７  展示スペース
８  照度センサ
９  接近検知センサ
１０  制御ユニット
１１  表示駆動部
１２、１２ａ〜１２ｉ  照明装置
１３  物品払出ユニット
１４、１４ａ〜１４ｉ  背面パネル
１４Ａ  展示台
１５  選択ボタン部
１５ａ〜１５ｄ  選択ボタン
１６  選択ボタン表示部
１７  価格表示ラベル
１８  冷温表示ラベル
１９  冷温・価格表示部
２０  非展示スペース
２１  ベース
２２  ビス
２３  ランプ搭載基板
２４  ＬＥＤランプ
２５  突起部
２６  ホルダ
２７  ＬＥＤランプ
２８  ホルダ受け部
２９  ホルダ
４１  表示器
４２  紙幣挿入口
４３  硬貨投入口
４４  返却レバー
４５  釣銭返却口
４６  物品取出口
４７  ドアロック
４８  広告スペース
１００  展示用物品
１２０、１２０ａ〜１２０ｉ  照明ユニット
２００  ポスタースペース
【図１】
0004848159.tif 000002
【図２】
0004848159.tif 000003
【図３】
0004848159.tif 000004
【図４】
0004848159.tif 000005
【図５】
0004848159.tif 000006
【図６】
0004848159.tif 000007
【図７】
0004848159.tif 000008